【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
蓄積された複数のコンテンツデータをアップコンバートする信号処理装置であって、
ユーザによる操作指示を受け付ける操作手段と、
前記操作手段により受け付けられた操作指示に係る操作履歴に基づいて、ユーザの嗜好情報を生成する生成手段と、
前記複数のコンテンツデータにアップコンバート処理を施す処理手段と、
前記生成手段により生成された嗜好情報と、各コンテンツデータに関するコンテンツ情報とに基づいて、各コンテンツデータの嗜好レベルを算出し、嗜好レベルの高いコンテンツデータを優先してアップコンバート処理を施すように前記処理手段を制御する制御手段と、を備えることを特徴とする信号処理装置。
【請求項２】
前記制御手段は、嗜好レベルの高いコンテンツデータほど早くアップコンバート処理されるように、前記処理手段がアップコンバート処理を施す順番を制御することを特徴とする請求項１に記載の信号処理装置。
【請求項３】
前記制御手段は、第１のコンテンツデータのアップコンバート処理を実行させる際に、前記第１のコンテンツデータよりも嗜好レベルの低い第２のコンテンツデータをアップコンバート処理中であった場合は、前記第２のコンテンツデータのアップコンバート処理を中断して、前記第１のコンテンツデータのアップコンバート処理を開始させることを特徴とする請求項１または請求項２に記載の信号処理装置。
【請求項４】
さらに、蓄積された前記複数のコンテンツデータそれぞれのアップコンバート処理に要する予測処理時間を算出する算出ユニットを備え、
前記制御ユニットは、嗜好レベルの高いコンテンツデータを優先するとともに、前記算出ユニットにより算出された予測処理時間が短いコンテンツデータを優先してアップコンバート処理を施すように前記処理手段を制御することを特徴とする請求項１から請求項３までのいずれか１項に記載の信号処理装置。
【請求項５】
前記コンテンツデータのアップコンバート処理は、前記コンテンツデータの実時間よりも長い処理時間を要する処理であることを特徴とする請求項１から請求項４までのいずれか１項に記載の信号処理装置。
【請求項６】
蓄積された複数のコンテンツデータをアップコンバートする信号処理装置であって、
蓄積された前記複数のコンテンツデータそれぞれのアップコンバート処理に要する予測処理時間を算出する算出手段と、
前記複数のコンテンツデータにアップコンバート処理を施す処理手段と、
前記算出手段により算出された予測処理時間が短いコンテンツデータを優先してアップコンバート処理を施すように前記処理手段を制御する制御手段と、を備えることを特徴とする信号処理装置。
【請求項７】
前記算出手段は、蓄積された前記複数のコンテンツデータの種別と、前記コンテンツデータの種別ごとにアップコンバート処理に要する時間の目安を示す目安処理時間情報とに基づいて、前記複数のコンテンツデータそれぞれのアップコンバート処理に要する予測処理時間を算出することを特徴とする請求項６に記載の信号処理装置。
【請求項８】
前記算出手段は、前記複数のコンテンツデータのそれぞれの一部のデータに対して前記処理手段によりアップコンバート処理を施し、前記一部のデータのアップコンバート処理に要する時間に基づいて、各コンテンツデータのアップコンバート処理に要する予測処理時間を算出することを特徴とする請求項６に記載の信号処理装置。
【請求項９】
前記制御手段は、前記算出手段により算出された予測処理時間が短いコンテンツデータほど早くアップコンバート処理されるように、前記処理手段がアップコンバート処理を施す順番を制御することを特徴とする請求項６から請求項８までのいずれか１項に記載の信号処理装置。
【請求項１０】
前記制御手段は、第１のコンテンツデータのアップコンバート処理を実行させる際に、
前記第１のコンテンツデータよりも予測処理時間の長い第２のコンテンツデータをアップコンバート処理中であった場合は、前記第２のコンテンツデータのアップコンバート処理を中断して、前記第１のコンテンツデータのアップコンバート処理を開始させることを特徴とする請求項６から請求項９までのいずれか１項に記載の信号処理装置。
【請求項１１】
前記コンテンツデータのアップコンバート処理は、前記コンテンツデータの実時間よりも長い処理時間を要する処理であることを特徴とする請求項６から請求項１０までのいずれか１項に記載の信号処理装置。
【請求項１２】
ユーザの指示を受け付け、該指示に従って、前記複数のコンテンツデータにアップコンバート処理を施す順番を設定する設定手段をさらに備えることを特徴とする請求項１から請求項１１までのいずれか１項に信号処理装置。
【請求項１３】
蓄積された複数のコンテンツデータをアップコンバートする信号処理装置により実行される信号処理方法であって、
ユーザによる操作指示を受ける操作ステップと、
前記操作ステップで受けた操作指示に係る操作履歴に基づいて、ユーザの嗜好情報を生成する生成ステップと、
前記複数のコンテンツデータにアップコンバート処理を施す処理ステップと、
前記生成ステップで生成された嗜好情報と、各コンテンツデータに関するコンテンツ情報とに基づいて、各コンテンツデータの嗜好レベルを算出し、嗜好レベルの高いコンテンツデータを優先してアップコンバート処理を施すように制御する制御ステップと、を有することを特徴とする信号処理方法。
【請求項１４】
前記制御ステップにおいて、嗜好レベルの高いコンテンツデータほど早くアップコンバート処理されるように、アップコンバート処理を施す順番を制御することを特徴とする請求項１３に記載の信号処理方法。
【請求項１５】
前記制御ステップにおいて、第１のコンテンツデータのアップコンバート処理を実行させる際に、前記第１のコンテンツデータよりも嗜好レベルの低い第２のコンテンツデータをアップコンバート処理中であった場合は、前記第２のコンテンツデータのアップコンバート処理を中断して、前記第１のコンテンツデータのアップコンバート処理を開始させることを特徴とする請求項１３または請求項１４に記載の信号処理方法。
【請求項１６】
さらに、蓄積された前記複数のコンテンツデータそれぞれのアップコンバート処理に要する予測処理時間を算出する算出ステップを有し、
前記制御ステップにおいて、嗜好レベルの高いコンテンツデータを優先するとともに、前記算出ユニットにより算出された予測処理時間が短いコンテンツデータを優先してアップコンバート処理を施すように制御することを特徴とする請求項１３から請求項１５までのいずれか１項に記載の信号処理方法。
【請求項１７】
前記コンテンツデータのアップコンバート処理は、前記コンテンツデータの実時間よりも長い処理時間を要する処理であることを特徴とする請求項１３から請求項１６までのいずれか１項に記載の信号処理方法。
【請求項１８】
蓄積された複数のコンテンツデータをアップコンバートする信号処理方法であって、
蓄積された前記複数のコンテンツデータそれぞれのアップコンバート処理に要する予測処理時間を算出する算出ステップと、
前記複数のコンテンツデータにアップコンバート処理を施す処理ステップと、
前記算出ステップで算出された予測処理時間が短いコンテンツデータを優先してアップコンバート処理を施すように制御する制御ステップと、を有することを特徴とする信号処理方法。
【請求項１９】
前記算出ステップにおいて、蓄積された前記複数のコンテンツデータの種別と、前記コンテンツデータの種別ごとにアップコンバート処理に要する時間の目安を示す目安処理時間情報とに基づいて、前記複数のコンテンツデータそれぞれのアップコンバート処理に要する予測処理時間を算出することを特徴とする請求項１８に記載の信号処理方法。
【請求項２０】
前記算出ステップにおいて、前記複数のコンテンツデータのそれぞれの一部のデータに対して前記処理手段によりアップコンバート処理を施し、前記一部のデータのアップコンバート処理に要する時間に基づいて、各コンテンツデータのアップコンバート処理に要する予測処理時間を算出することを特徴とする請求項１８に記載の信号処理方法。
【請求項２１】
前記制御ステップにおいて、前記算出ステップで算出された予測処理時間が短いコンテンツデータほど早くアップコンバート処理されるように、アップコンバート処理を施す順番を制御することを特徴とする請求項１８から請求項２０までのいずれか１項に記載の信号処理方法。
【請求項２２】
前記制御ステップにおいて、第１のコンテンツデータのアップコンバート処理を実行させる際に、前記第１のコンテンツデータよりも予測処理時間の長い第２のコンテンツデータをアップコンバート処理中であった場合は、前記第２のコンテンツデータのアップコンバート処理を中断して、前記第１のコンテンツデータのアップコンバート処理を開始させることを特徴とする請求項１８から請求項２１までのいずれか１項に記載の信号処理方法。
【請求項２３】
前記コンテンツデータのアップコンバート処理は、前記コンテンツデータの実時間よりも長い処理時間を要する処理であることを特徴とする請求項１８から請求項２２までのいずれか１項に記載の信号処理方法。
【請求項２４】
ユーザの指示を受け付け、該指示に従って、前記複数のコンテンツデータにアップコンバート処理を施す順番を設定する設定ステップをさらに有することを特徴とする請求項１３から請求項２３までのいずれか１項に記載の信号処理方法。
【手続補正２】
【補正対象書類名】明細書
【補正対象項目名】００１１
【補正方法】変更
【補正の内容】
【００１１】
上述した課題を解決するために、本発明に係る信号処理方法は、蓄積された複数のコンテンツデータをアップコンバートする信号処理方法であって、ユーザによる操作指示を受ける操作ステップと、前記操作ステップで受けた操作指示に係る操作履歴に基づいて、ユーザの嗜好情報を生成する生成ステップと、前記複数のコンテンツデータにアップコンバート処理を施す処理ステップと、前記生成ステップで生成された嗜好情報と、各コンテンツデータに関するコンテンツ情報とに基づいて、各コンテンツデータの嗜好レベルを算出し、嗜好レベルの高いコンテンツデータを優先してアップコンバート処理を施すように制御する制御ステップと、を有することを特徴とする。
【手続補正３】
【補正対象書類名】明細書
【補正対象項目名】００１２
【補正方法】変更
【補正の内容】
【００１２】
本発明に係る他の信号処理方法は、蓄積された複数のコンテンツデータをアップコンバートする信号処理方法であって、蓄積された前記複数のコンテンツデータそれぞれのアップコンバート処理に要する予測処理時間を算出する算出ステップと、前記複数のコンテンツデータにアップコンバート処理を施す処理ステップと、前記算出ステップで算出された予測処理時間が短いコンテンツデータを優先してアップコンバート処理を施すように制御する制御ステップと、を備えることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００３５
【補正方法】変更
【補正の内容】
【００３５】
図４は、嗜好情報管理テーブルの一例を示す図である。嗜好情報管理テーブルには、指定されたジャンル及びキーワード、またそれらを用いて番組検索が実行された回数が記録される。さらに、検索回数の数に応じて、嗜好レベル５〜１が記録される。本実施例では、検索回数が多いジャンル及びキーワードは、ユーザの興味が強いと考えられるので高い嗜好レベルを付けるものとする。例えば、検索回数が最も多いジャンル「映画」、キーワード「世界遺産」は、嗜好レベル５となる。
【手続補正６】
【補正対象書類名】明細書
【補正対象項目名】００５１
【補正方法】変更
【補正の内容】
【００５１】
この実施の形態２では、コンテンツ情報に含まれるコンポーネント記述子を用いる。コンポーネント記述子は、ＡＲＩＢ規格で定義される番組配列情報ＳＩに含まれるＥＩＴ（Ｅｖｅｎｔ  Ｉｎｆｏｒｍａｔｉｏｎ  Ｔａｂｌｅ）の記述子の一つである。コンポーネント記述子には、映像コンポーネントや音声コンポーネント等の各コンポーネントに関する情報（コンポーネント情報）が記述される。
【手続補正７】
【補正対象書類名】明細書
【補正対象項目名】００５２
【補正方法】変更
【補正の内容】
【００５２】
図８は、コンポーネント記述子のデータ構造の一例を示す図である。コンポーネント記述子には、“ｓｔｒｅａｍ＿ｃｏｎｔｅｎｔ（コンテンツ内容）”、“ｃｏｍｐｏｎｅｎｔ＿ｔｙｐｅ（コンポーネント種別）”、“ｔｅｘｔ＿ｃｈａｒ（コンポーネント記述）”等が含まれる。
【手続補正８】
【補正対象書類名】明細書
【補正対象項目名】００５８
【補正方法】変更
【補正の内容】
【００５８】
図１２は、決定されたアップコンバート処理順位の一例を示す図である。例えば、番組「日本の歴史」の“ｃｏｍｐｏｎｅｎｔ＿ｔｙｐｅ（コンポーネント種別）”は０ｘＡ２、映像フォーマット４８０ｐ（画素数７２０×４８０のプログレッシブ走査方式）、アスペクト比は１６：９である。ここで、図１０の目安処理時間テーブルを参照すると、映像フォーマット４８０ｐのコンテンツ１時間分をアップコンバート処理するのに要する目安時間は４時間となっている。したがって、番組「日本の歴史」の録画時間（コンテンツ時間長）が３時間である場合、予測処理時間は４×３＝１２時間となる。このようにして、各コンテンツの予測処理時間が算出され、予測処理時間が短いコンテンツほど処理順位が上位になるように（「地球創世記」、「グルメ対決」、「日本の歴史」の順番）、アップコンバートの処理順位が決定される。
【手続補正９】
【補正対象書類名】明細書
【補正対象項目名】００６２
【補正方法】変更
【補正の内容】
【００６２】
次に、番組コンテンツＺの録画が終了した時刻２１時に、番組コンテンツＹと番組コンテンツＺのアップコンバート処理に要する予測処理時間を比較する。比較した結果、番組コンテンツＹは残り５時間でアップコンバート処理が完了するのに対し、番組コンテンツＺは３時間でアップコンバート処理が完了するので、番組コンテンツＹのアップコンバートを中止して、番組コンテンツＺのアップコンバート処理を開始する。そして、番組コンテンツＺのアップコンバート処理が終了した時刻２４時に、番組コンテンツＹのアップコンバート処理が再開される。